(57)【要約】【課題】時系列に取得された複数の検査項目の検査データを表示させる際、より見易い状態で表示させる。【解決手段】時系列で取得された複数の検査項目の検査データを表示させる検査データ表示制御装置において、表示する検査データの表示期間の指定を受け付ける表示期間指定受付部１４と、表示期間の指定を受け付けた際、複数の検査項目のうち表示期間内に検査データが存在する検査項目を特定し、その特定した検査項目の表示期間内の検査データのみを表示期間内の表示対象の検査データとして取得する診療情報取得部１１（検査データ取得部）と、表示期間内に存在する検査項目の検査データのみを表示させる表示制御部１３とを備える。【選択図】図１
2014194711.tif 000002
【特許請求の範囲】
【請求項１】
時系列で取得された複数の検査項目の検査データを表示させる検査データ表示制御装置であって、
表示する前記検査データの表示期間の指定を受け付ける表示期間指定受付部と、
前記表示期間の指定を受け付けた際、前記複数の検査項目のうち前記表示期間内に検査データが存在する検査項目を特定し、該特定した検査項目の前記表示期間内の検査データのみを前記表示期間内の表示対象の検査データとして取得する検査データ取得部と、
前記表示期間内に存在する検査項目の検査データのみを表示させる表示制御部とを備えたことを特徴とする検査データ表示制御装置。
【請求項２】
前記表示期間指定受付部が、前記表示期間から変更された表示期間の指定を受け付けるものであり、
前記検査データ取得部が、前記変更前の表示期間の指定を受け付けた際、前記変更前の表示期間の前後の表示期間内に存在する検査項目を特定し、該特定した検査項目の前記前後の表示期間内の検査データを前記表示期間の変更前に予め取得するものであり、
前記表示制御部が、前記表示期間の変更が受け付けられた際、前記予め取得された検査データを用いて、前記変更後の表示期間の検査データを表示させるものであることを特徴とする請求項１記載の検査データ表示制御装置。
【請求項３】
前記検査データ取得部が、前記表示期間の指定を受け付けた際、該受け付けた表示期間の前後の表示期間内に存在する検査項目を特定し、該特定した検査項目の前記前後の表示期間内の検査データを予め取得するものであり、
前記表示制御部が、前記表示期間内に存在する検査項目の検査データを表示させる際、前記表示期間内に存在する検査項目と同じ検査項目が前記前後の表示期間内に存在する場合には、前記表示期間内に存在する検査データと前記前後の表示期間内に存在する前記同じ検査項目の検査データとを結線して表示するものであることを特徴とする請求項１記載の検査データ表示制御装置。
【請求項４】
前記表示制御部が、前記変更前の表示期間の検査データを表示する際、該変更前の表示期間の前後の表示期間内に存在する検査項目を特定し、該特定した各検査項目の最大値と最小値とが全て表示領域内に表示されるように数値を示す軸の数値範囲を自動的に変更するものであることを特徴とする請求項２記載の検査データ表示制御装置。
【請求項５】
前記表示制御部が、前記変更後の表示期間の検査データを表示する際、前記変更後の表示期間に存在する検査項目の検査データの最大値と最小値との両方が表示領域内に含まれるように数値を示す軸の数値範囲を自動的に移動させるものであることを特徴とする請求項２記載の検査データ表示制御装置。
【請求項６】
前記表示制御部が、前記数値を示す軸をスクロールすることによって前記数値範囲を移動させるものであることを特徴とする請求項５記載の検査データ表示制御装置。
【請求項７】
前記表示制御部が、前記表示期間の変更の最小単位の期間が変更される度に、前記数値を示す軸の数値範囲を自動的に移動させるものであることを特徴とする請求項５または６記載の検査データ表示制御装置。
【請求項８】
前記表示制御部が、前記表示期間の変更を指示するためのスクロールバーを表示させるものであることを特徴とする請求項２記載の検査データ表示制御装置。
【請求項９】
前記検査データ取得部が、ネットワークを介して前記検査データを取得するものであることを特徴とする請求項１から８いずれか１項記載の検査データ表示制御装置。
【請求項１０】
時系列で取得された複数の検査項目の検査データを表示させる検査データ表示制御方法であって、
表示する前記検査データの表示期間の指定を受け付け、
前記表示期間の指定を受け付けた際、前記複数の検査項目のうち前記表示期間内に存在する検査項目を特定し、該特定した検査項目の検査データのみを前記表示期間内の表示対象の検査データとして取得し、
前記表示期間内に存在する検査項目の検査データのみを表示させることを特徴とする検査データ表示制御方法。
【請求項１１】
時系列で取得された複数の検査項目の検査データを表示させる検査データ表示制御プログラムであって、
コンピュータを、
表示する前記検査データの表示期間の指定を受け付ける表示期間指定受付部と、
前記表示期間の指定を受け付けた際、前記複数の検査項目のうち前記表示期間内に存在する検査項目を特定し、該特定した検査項目の検査データのみを前記表示期間内の表示対象の検査データとして取得する検査データ取得部と、
前記表示期間内に存在する検査項目の検査データのみを表示させる表示制御部として機能させることを特徴とする検査データ表示制御プログラム。
【発明の詳細な説明】
【技術分野】
【０００１】
本発明は、時系列に取得された複数の検査項目の検査データを表示させる検査データ表示制御装置および方法並びにプログラムに関するものである。
【背景技術】
【０００２】
近年、医師によって診療が行われる際、患者に対して実施された複数の検査結果をディスプレイに表示させ、病名の診断や治療方針などを決定するための参考情報として利用されている。
【０００３】
患者に実施される検査には様々な種類があり、実際の医療現場では、患者に特定の疾患が疑われるときには、その特定の疾患の診断に重要と考えられている複数の検査の各検査結果を参照して、診断または治療を行っている。
【０００４】
しかしながら、患者に対して実施される検査項目が多数に亘る場合があり、特に、患者が複数の疾患を患っている場合には、さらに検査項目が増えることになる。したがって、その多数の検査項目の検査結果を同一の座標軸上にグラフとして全て重ねて表示するようにしたのでは、グラフ同士が重なりあってしまって非常に見難いものとなってしまい、検査データに異常な兆候があったとしても見逃すおそれがある。
【０００５】
そこで、たとえば特許文献１および特許文献２においては、注目する表示期間の指定を受け付け、その受け付けた表示期間の検査データのグラフを表示させることによって、検査データのグラフの表示期間を限定して表示する方法が開示されている。
【先行技術文献】
【特許文献】
【０００６】
【特許文献１】特開２００１−１３３２９３号公報
【特許文献２】特開平０９−１８５６５１号公報
【発明の概要】
【発明が解決しようとする課題】
【０００７】
しかしながら、特許文献１および特許文献２のように、表示期間のみを絞り込んで表示したとしても、その表示期間内に検査データが存在しない多数の検査項目のグラフの線などが表示され、やはり見難い表示となってしまう。
【０００８】
本発明は、上記事情に鑑み、複数の検査項目の検査データを見易い状態で表示することができる検査データ表示制御装置および方法並びにプログラムを提供することを目的とするものである。
【課題を解決するための手段】
【０００９】
本発明の検査データ表示制御装置は、時系列で取得された複数の検査項目の検査データを表示させる検査データ表示制御装置であって、表示する検査データの表示期間の指定を受け付ける表示期間指定受付部と、表示期間の指定を受け付けた際、複数の検査項目のうち表示期間内に検査データが存在する検査項目を特定し、その特定した検査項目の表示期間内の検査データのみを表示期間内の表示対象の検査データとして取得する検査データ取得部と、表示期間内に存在する検査項目の検査データのみを表示させる表示制御部とを備えたことを特徴とする。
【００１０】
また、上記本発明の検査データ表示制御装置においては、表示期間指定受付部を、表示期間から変更された表示期間の指定を受け付けるものとし、検査データ取得部を、変更前の表示期間の指定を受け付けた際、変更前の表示期間の前後の表示期間内に存在する検査項目を特定し、その特定した検査項目の前後の表示期間内の検査データを表示期間の変更前に予め取得するものとし、表示制御部を、表示期間の変更が受け付けられた際、上記予め取得された検査データを用いて、変更後の表示期間の検査データを表示させるものとできる。
【００１１】
また、検査データ取得部を、表示期間の指定を受け付けた際、その受け付けた表示期間の前後の表示期間内に存在する検査項目を特定し、その特定した検査項目の前後の表示期間内の検査データを予め取得するとし、表示制御部を、表示期間内に存在する検査項目の検査データを表示させる際、表示期間内に存在する検査項目と同じ検査項目が前後の表示期間内に存在する場合には、表示期間内に存在する検査データと前後の表示期間内に存在する同じ検査項目の検査データとを結線して表示するものとできる。
【００１２】
また、表示制御部を、変更前の表示期間の検査データを表示する際、その変更前の表示期間の前後の表示期間内に存在する検査項目を特定し、その特定した各検査項目の最大値と最小値とが全て表示領域内に表示されるように数値を示す軸の数値範囲を自動的に変更するものとできる。
【００１３】
また、表示制御部を、変更後の表示期間の検査データを表示する際、変更後の表示期間に存在する検査項目の検査データの最大値と最小値との両方が表示領域内に含まれるように数値を示す軸の数値範囲を自動的に移動させるものとできる。
【００１４】
また、表示制御部を、上記数値を示す軸をスクロールすることによって数値範囲を移動させるものとできる。
【００１５】
また、表示制御部を、表示期間の変更の最小単位の期間が変更される度に、数値を示す軸の数値範囲を自動的に移動させるものとできる。
【００１６】
また、表示制御部を、表示期間の変更を指示するためのスクロールバーを表示させるものとできる。
【００１７】
また、検査データ取得部を、ネットワークを介して検査データを取得するものとできる。
【００１８】
本発明の検査データ表示制御方法は、時系列で取得された複数の検査項目の検査データを表示させる検査データ表示制御方法であって、表示する検査データの表示期間の指定を受け付け、表示期間の指定を受け付けた際、複数の検査項目のうち表示期間内に存在する検査項目を特定し、その特定した検査項目の検査データのみを表示期間内の表示対象の検査データとして取得し、表示期間内に存在する検査項目の検査データのみを表示させることを特徴とする。
【００１９】
本発明の検査データ表示制御プログラムは、時系列で取得された複数の検査項目の検査データを表示させる検査データ表示制御プログラムであって、コンピュータを、表示する検査データの表示期間の指定を受け付ける表示期間指定受付部と、表示期間の指定を受け付けた際、複数の検査項目のうち表示期間内に存在する検査項目を特定し、その特定した検査項目の検査データのみを表示期間内の表示対象の検査データとして取得する検査データ取得部と、表示期間内に存在する検査項目の検査データのみを表示させる表示制御部として機能させることを特徴とする。
【発明の効果】
【００２０】
本発明の検査データ表示制御装置および方法並びにプログラムによれば、時系列で取得された複数の検査項目の検査データを表示させる際、表示する検査データの表示期間の指定を受け付け、その表示期間の指定を受け付けた際、複数の検査項目のうち表示期間内に検査データが存在する検査項目を特定し、その特定した検査項目の表示期間内の検査データのみを表示対象の検査データとして取得し、その表示期間内に存在する検査項目の検査データのみを表示させるようにしたので、表示される検査データの検査項目を、指定された表示期間内に存在する検査項目に限定することができるので、表示期間内に検査データが存在しない検査項目のグラフの線などを表示させないようにできるので、より見易いグラフ表示とすることできる。
【図面の簡単な説明】
【００２１】
【図１】本発明の検査データ表示制御装置の一実施形態を用いた診療情報表示システムの概略構成を示すブロック図
【図２】診療情報表示画面の一例を示す図
【図３】本発明の検査データ表示制御装置の第１の実施形態を用いた診療情報表示システムの作用を説明するためのフローチャート
【図４】検査データの一例を示す表
【図５】本発明の第１の実施形態の診療情報表示システムにおける検査データのグラフ表示を説明するための図
【図６】本発明の検査データ表示制御装置の第２の実施形態を用いた診療情報表示システムの作用を説明するためのフローチャート
【図７】本発明の第２の実施形態の診療情報表示システムにおける検査データのグラフ表示を説明するための図
【図８】本発明の検査データ表示制御装置の第３の実施形態を用いた診療情報表示システムの作用を説明するためのフローチャート
【図９】検査データの一例を示す表
【図１０】本発明の第３の実施形態の診療情報表示システムにおける検査データのグラフ表示を説明するための図
【図１１】各検査項目の検査データの最大値および最小値を考慮せずにグラフ表示した例を示す図
【図１２】本発明の検査データ表示制御装置の第４の実施形態を用いた診療情報表示システムの作用を説明するためのフローチャート
【図１３】本発明の第４の実施形態の診療情報表示システムにおける検査データのグラフ表示を説明するための図
【図１４】本発明の第４の実施形態の診療情報表示システムにおける検査データのグラフ表示を説明するための図
【発明を実施するための形態】
【００２２】
以下、本発明の検査データ表示制御装置および方法並びにプログラムの第１の実施形態を用いた診療情報表示システムについて、図面を参照しながら詳細に説明する。図１は、本実施形態の診療情報表示システム１の概略構成を示すブロック図である。
【００２３】
本実施形態の診療情報表示システム１は、図１に示すように、診療情報表示制御装置１０と、診療科端末２０と、電子カルテシステム３０と、検査部門システム４０と、画像診断システム５０とを備えている。
【００２４】
診療情報システム１における診療情報表示制御装置１０と、診療科端末２０と、各システム３０〜５０とは、たとえば有線または無線ＬＡＮや、インターネット回線などのネットワークを介して接続されている。
【００２５】
まず、診療情報表示制御装置１０について説明する。なお、診療情報表示制御システムは、本発明の検査データ表示制御装置の一実施形態を含むものである。
【００２６】
診療情報表示制御装置１０は、診療科端末２０において入力された患者の識別情報を受け付け、その患者に関する診療情報を電子カルテシステム３０、検査部門システム４０および画像診断システム５０からそれぞれ収集し、その収集した情報を統合した診療情報表示画面を生成して診療科端末２０に表示させるものである。
【００２７】
具体的には、診療情報表示制御装置１０は、図１に示すように、診療情報取得部１１（検査データ取得部を相当する）と、診療情報記憶部１２と、表示制御部１３と、表示期間指定受付部１４とを備えている。
【００２８】
診療情報表示制御装置１０は、コンピュータに本発明の検査データ表示制御プログラムの一実施形態を含む診療情報表示制御プログラムをインストールしたものである。そして、中央処理装置（ＣＰＵ）によって上記診療情報表示制御プログラムが実行されることによって上述した診療情報取得部１１と、表示制御部１３と、表示期間指定受付部１４とが機能する。上記診療情報表示制御プログラムは、ＣＤ−ＲＯＭなどの記録媒体に記録されたものでもよいし、インターネットを経由してサーバなどからダウンロードしたものでもよい。
【００２９】
診療情報取得部１１は、診療科端末２０において入力された患者の識別情報に基づいて、その患者の識別情報に紐付けされた診療情報をネットワークを介して上記システムの各サーバから取得するものである。診療情報としては、その患者の名前や年齢や性別などといった基本情報、投薬や点滴の情報、検体検査やバイタルなどの種々の検査データ、および画像診療情報などがある。
【００３０】
診療情報取得部１１は、患者の識別情報に基づいて各サーバから収集された診療情報を一旦、診療情報記憶部１２に記憶するものである。診療情報記憶部１２は、ハードディスクなどのストレージデバイスから構成されるものである。
【００３１】
表示制御部１３は、診療情報取得部１１から出力された検査データを含む診療情報に基づいて診療情報表示画面を生成し、その診療情報表示画面を診療科端末２０に出力して表示させるものである。
【００３２】
ここで、表示制御部１３において生成される診療情報表示画面について説明する。図２は、診療情報表示画面の一例を示すものである。
【００３３】
診療情報表示画面は、図２に示すように、基本情報表示欄Ｒ１と、検査期間表示欄Ｒ２と、投薬期間表示欄Ｒ３と、検査データ表示欄Ｒ４と、画像診療情報欄Ｒ５と、投薬リスト表示欄Ｒ６と、検査項目リスト表示欄Ｒ７とを備えている。
【００３４】
基本情報表示欄Ｒ１は、患者の識別情報（患者ＩＤ）、名前、年齢、性別、既往歴などといった基本情報が表示される欄である。また、既往歴については、図２に示すように、各疾患に対してチェックボックスが表示される。そして、このチェックボックスがチェックされることによって注目する疾患が指定され、その疾患に関する検査データや画像診療情報などが表示される。
【００３５】
検査期間表示欄Ｒ２は、患者の検査期間などを表示する欄であり、患者が検査を受けた期間が横棒グラフで表示される。投薬期間表示欄Ｒ３は、患者に対して投薬や点滴が行われた期間を表示する欄であり、患者が投薬や点滴を受けた期間が横棒グラフで表示される。
【００３６】
検査データ表示欄Ｒ４は、時系列に取得された複数の検査項目の検査データが折れ線グラフで表示される欄である。検査データ表示欄Ｒ４の横軸は時間軸であり、縦軸は検査データの数値を示す軸である。そして、検査データ表示欄Ｒ４には、検査データを表示する数値範囲を変更するためのスクロールバーＢ１と、検査データの表示期間を変更するためのスクロールバーＢ２とが設けられている。
【００３７】
画像診療情報欄Ｒ５は、患者の画像診療情報を表示する欄である。具体的には、患者をＣＴ装置やＭＲＩ装置で撮影した画像のサムネイル画像が表示される。このサムネイル画像がクリックなどされて選択された際には、サムネイル画像の元の原画像が別の表示画面で表示され、また、その原画像に関する読影レポートも表示される。
【００３８】
投薬リスト表示欄Ｒ６は、投薬期間表示欄Ｒ３に表示された各投薬期間において投薬や点滴された薬剤の種類がリスト表示される欄である。投薬リスト表示欄Ｒ６には、薬剤がリスト表示されるとともに、各薬剤に対してチェックボックスが表示される。そして、このチェックボックスがチェックされた薬剤の投薬期間が、投薬期間表示欄Ｒ３において強調表示される。具体的には、たとえばチェックボックスでチェックされた薬剤の投薬期間がカラー表示され、チェックされていない薬剤の投薬期間は目立たないように薄いグレーなどで表示される。
【００３９】
検査項目リスト表示欄Ｒ７は、検査データ表示欄Ｒ４に表示された検査データの検査項目がリスト表示される欄である。検査項目リスト表示欄Ｒ７には、検査項目がリスト表示されるとともに、その各検査項目に対してチェックボックスが表示される。そして、このチェックボックスがチェックされた検査項目の検査データが、検査データ表示欄Ｒ４において強調表示される。具体的には、たとえばチェックボックスでチェックされた検査項目の検査データがカラー表示され、チェックされていない検査項目の検査データは目立たないように薄いグレーなどで表示される。
【００４０】
図１に戻り、表示期間指定受付部１４は、表示する検査データの表示期間の指定を付け付け、その表示期間の情報を診療情報取得部１１に出力するものである。表示期間とは、医師などが特に注目して観察したい検査データの表示期間であって、たとえば表示開始日の日付と表示終了日の日付とが入力され、表示開始日と表示終了日の間の期間が表示期間となり、この表示期間の検査データが表示対象の検査データとなる。また、日付を指定するのではなく、表示開始月と表示終了月とを指定するようにしてもよい。
【００４１】
そして、上述した診療情報取得部１１は、入力された表示期間の情報に基づいて、後述する検査部門システム４０の検査データ保管サーバ４１に保管されている検査データの多数の検査項目のうち、上記表示期間内に検査データが存在する検査項目を特定し、その検査項目の検査データを取得するものである。そして、その取得した検査データを表示制御部１３に出力するものである。
【００４２】
表示制御部１３は、入力された検査データと指定された表示期間とに基づいて、上述した検査データ表示欄Ｒ４に検査データのグラフを表示させるものである。この検査データ表示欄Ｒ４における検査データの表示方法については、後で詳述する。
【００４３】
診療科端末２０は、ディスプレイとキーボードおよびマウスなどを備えたものである。診療科端末２０のディスプレイは、図２に示す診療情報表示画面を表示するものである。また、診療科端末２０のキーボードおよびマウスは、患者の識別情報の入力や、上述した検査データの表示期間の入力や、上述したチェックボックスの指定入力などを受け付けるものである。
【００４４】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および点滴の薬剤の種類や投薬期間、既往歴などの情報が含まれている。
【００４５】
検査部門システム４０は、複数の患者の検査データを管理するシステムである。検査部門システム４０は、検査データ保管サーバ４１を備えており、この検査データ保管サーバ４１には、各患者の複数の検査項目の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。
【００４６】
画像診断システム５０は、複数の患者の画像診療情報を管理するシステムである。画像診断システム５０は、画像管理サーバ５１と、読影レポートサーバ５２とを備えている。画像管理サーバ５１には、各患者の放射線画像などが患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。画像診断システム５０は、診療科端末２０において入力された患者の識別情報を取得し、その識別情報に紐付けされた放射線画像やその読影レポートを診療情報表示制御装置１０に出力するものである。
【００４７】
次に、本実施形態の診療情報表示システム１の作用について、図３に示すフローチャートを参照しながら説明する。なお、本実施形態の診療情報表示システム１は、上述した検査データ表示欄Ｒ４における検査データの表示方法に特徴を有するものであるため、以下、その点を中心に説明する。
【００４８】
まず、診療科端末２０において、医師などによる指示入力により診療情報表示制御装置１０にインストールされた検査データ表示制御プログラムが起動される（Ｓ１０）。
【００４９】
次に、診療科端末２０において、患者の識別情報が入力され、その患者の識別情報は、診療情報表示制御装置１０の診療情報取得部１１によって取得される（Ｓ１２）。
【００５０】
次いで、診療科端末２０において、表示する検査データの初期表示期間が入力されると、その初期表示期間の情報が表示期間指定受付部１４によって取得され、表示期間指定受付部１４は、その初期表示期間の情報を診療情報取得部１１に出力する（Ｓ１４）。
【００５１】
診療情報取得部１１は、入力された患者の識別情報に基づいて、検査部門システム４０の検査データ保管サーバ４１からその患者の検査データを読み出して取得するが、このとき診療情報取得部１１は、まず、上述した初期表示期間内に存在する検査データの検査項目を特定する。そして、検査データ保管サーバ４１に保管されている多数の検査項目の検査データのうち、上記特定した検査項目の上記初期表示期間内の検査データのみを上記初期表示期間内の表示対象の検査データとして検査データ保管サーバ４１から読み出して取得する（Ｓ１６）。
【００５２】
以下、具体的な例を挙げて説明する。ここでは、医師によって指定された患者について、図４に示すような３つの検査項目「ｘｘｘ」、「ｙｙｙ」、「ｚｚｚ」の検査データが検査データ保管サーバ４１に保管されているとする。図５は、図４に示す３つの項目の検査データを全てプロットしたものである。図５における横軸は各列が図４の日付を示すものであり、縦軸は検査データの数値を示すものである。
【００５３】
診療情報取得部１１は、上記初期表示期間として図５に示す表示期間Ａが指定された場合には、３つの検査項目のうち表示期間Ａ内に存在する検査項目「ｘｘｘ」と「ｚｚｚ」とを特定し、図５に示す３つの項目の検査データのうち、２つの検査項目「ｘｘｘ」と「ｚｚｚ」の表示期間Ａ内の検査データのみを表示期間Ａの表示対象の検査データとして取得する。
【００５４】
一方、このとき、診療情報取得部１１は、初期表示期間の前後の表示期間内に存在する検査項目を特定し、その特定した検査項目の上記前後の表示期間内の検査データを予め取得する。すなわち、初期表示期間として表示期間Ａが指定された場合には、その前後の表示期間Ｂ１，Ｂ２内に存在する検査項目を特定し、その検査項目の表示期間Ｂ１，Ｂ２内の検査データを予め取得する。なお、図５に示す例では、表示期間Ｂ１内に存在する２つの検査項目「ｘｘｘ」と「ｚｚｚ」の検査データと、表示期間Ｂ２内に存在する検査項目「ｘｘｘ」の検査データとが予め取得される。
【００５５】
また、本実施形態においては、初期表示期間の前後の期間である表示期間Ｂ１，Ｂ２を、表示期間Ａと同じ３日間の期間としたが、予め検査データを取得する期間は、必ずしも初期表示期間Ａと同じでなくてもよい。具体的には、後述する表示期間の変更（移動）の最小単位の期間以上であればその他の期間でもよい。また、予め検査データを取得する期間については、ユーザによって任意に変更できるようにしてもよい。
【００５６】
そして、診療情報取得部１１によって取得された表示期間Ａと表示期間Ｂ１，Ｂ２の検査項目「ｘｘｘ」と「ｚｚｚ」の検査データは診療情報記憶部１２に一旦記憶される。
【００５７】
次に、表示制御部１３は、図２に示す検査データ表示欄Ｒ４の横軸を初期表示期間である表示期間Ａに設定するとともに、診療情報記憶部１２に記憶された表示期間Ａ内の検査項目「ｘｘｘ」と「ｚｚｚ」の検査データを取得し、検査データ表示欄Ｒ４内にその検査データのみを表示させる（Ｓ２０）。すなわち、図５に示す表示期間Ａの検査データのグラフを検査データ表示欄Ｒ４内に表示させる。
【００５８】
なお、本実施形態では、このとき表示期間Ａ内に存在する検査データ同士のみを結線して表示し、表示期間Ａ内に存在する検査データと前後の表示期間Ｂ１，Ｂ２に存在する検査データとの間は結線しないものとする。すなわち、図５に示す点線で示す部分は結線しないものとする。このように結線を省略することによって、より見易い表示とすることができる。
【００５９】
次に、医師などのユーザによって表示期間Ａからその前後の表示期間に表示対象の表示期間が変更された場合には、その変更後の表示期間の情報が表示期間指定受付部１４によって取得される（Ｓ２２）。なお、表示期間の変更は、検査データ表示欄Ｒ４の時間軸のスクロールバーＢ２を用いて行われるが、これに限らず、診療科端末２０のキーボードなどを用いて変更後の表示期間を設定入力するようにしてもよい。
【００６０】
そして、このとき表示期間指定受付部１４によって取得された変更後の表示期間の情報は、表示制御部１３に出力される。表示制御部１３は、変更後の表示期間の情報を取得した際には、Ｓ１８で予め取得して診療情報記憶部１２に記憶された検査データを用いてその変更後の表示期間内の検査データを表示させる（Ｓ２４）。
【００６１】
具体的には、たとえば図５に示す表示期間Ａから表示期間Ｂ１に変更された場合には、表示制御部１３は、検査データ表示欄Ｒ４の横軸を表示期間Ｂ１に設定するとともに、診療情報記憶部１２に予め記憶された表示期間Ｂ１の検査データを用いて表示期間Ｂ１の検査データを検査データ表示欄Ｒ４に表示させる。なお、このときも表示期間Ｂ１内の検査データ同士は結線されるが、表示期間Ｂ１内の検査データと表示期間Ｂ１の前後の表示期間内の検査データは結線されないものとする。図５に示す点線で示す部分は結線しないものとする。
【００６２】
また、たとえば図５に示す表示期間Ａから表示期間Ｂ２に変更された場合には、表示制御部１３は、検査データ表示欄Ｒ４の横軸を表示期間Ｂ２に設定するとともに、診療情報記憶部１２に予め記憶された表示期間Ｂ２の検査データを用いて表示期間Ｂ２の検査データを検査データ表示欄Ｒ４に表示させる。なお、このときも表示期間Ｂ２内の検査データ同士は結線されるが、表示期間Ｂ２内の検査データと表示期間Ｂ２の前後の表示期間内の検査データは結線されないものとする。図５に示す点線で示す部分は結線しないものとする。
【００６３】
このように初期表示期間である表示期間Ａが指定された際に、その前後の表示期間Ｂ１，Ｂ２内の検査項目の検査データも予め取得しておき、表示期間Ａがその前後の表示期間に変更された場合には、予め取得した検査データを用いて変更後の表示期間内の検査データを表示させることによって、表示期間の変更後に検査データ保管サーバ４１から検査データを読み出す場合よりも即座に検査データを表示させることができる。
【００６４】
一方、上述したように表示期間Ａからその前後の表示期間に表示対象の表示期間が変更された場合、表示期間指定受付部１４によって取得された変更後の表示期間の情報は、診療情報取得部１１にも出力される。
【００６５】
診療情報取得部１１は、変更後の表示期間の情報を取得した場合には、その変更後の表示期間の前または後の表示期間内に存在する検査項目を特定し、その特定した検査項目の上記前または後の表示期間内の検査データを予め取得する（Ｓ２６）。具体的には、診療情報取得部１１は、表示期間Ａから表示期間Ｂ1に変更された場合、まだ取得していない表示期間Ｃ1内に存在する検査項目を特定し、その特定した検査項目の表示期間Ｃ１内の検査データを検査データ保管サーバ４１から読み出して取得し、その取得した検査データを診療情報記憶部１２に記憶する。
【００６６】
また、診療情報取得部１１は、表示期間Ａから表示期間Ｂ２に変更された場合、まだ取得していない表示期間Ｃ２内に存在する検査項目を特定し、その特定した検査項目の表示期間Ｃ２内の検査データを検査データ保管サーバ４１から読み出して取得し、その取得した検査データを診療情報記憶部１２に記憶する。
【００６７】
次いで、検査データの表示を終了することなく（Ｓ２８，ＮＯ）、再びユーザによって表示期間Ｂ１または表示期間Ｂ２からその前後の表示期間に表示期間が変更された場合には（Ｓ２２）、表示制御部１３は、検査データ表示欄Ｒ４の横軸をその変更後の表示期間に設定するとともに、診療情報記憶部１２に予め記憶された表示期間Ｃ１、表示期間Ｃ２または表示期間Ａの検査データを用いて変更後の表示期間の検査データを検査データ表示欄Ｒ４に表示させる（Ｓ２４）。そして、このとき診療情報取得部１１は、上記と同様に、その変更後の表示期間の前または後の表示期間内に存在する検査項目を特定し、その特定した検査項目の検査データであって、まだ取得していない検査データを検査データ保管サーバ４１から読み出して取得し、診療情報記憶部１２に記憶する。
【００６８】
そして、検査データの終了の指示が入力されるまでは（Ｓ２８,ＹＥＳ）、Ｓ２２からＳ２６までの処理が繰り返して行われる。
【００６９】
次に、本発明の第２の実施形態を用いた診療情報表示システム１について説明する。上記第１の実施形態の診療情報表示システム１においては、所定の表示期間の検査データを検査データ表示欄Ｒ４に表示する際、その表示期間内の検査データ同士のみを結線し、表示期間内の検査データとその前後の表示期間内の検査データとは結線しないようにしたが、第２の実施形態の診療情報表示システム１は、所定の表示期間内の検査データとその前後の表示期間内の検査データとを結線して表示するようにした点が、上記第１の実施形態とは異なる。それ以外の構成および作用は、上記第１の実施形態と同様であるので、異なる点を中心に、図６のフローチャートと図７を参照しながら説明する。
【００７０】
図６に示すフローチャートにおけるＳ３０〜Ｓ３８までの処理は、図３に示すフローチャートにおけるＳ１０〜Ｓ１８までの処理と同様である。
【００７１】
そして、第２の実施形態においては、初期表示期間Ａ内に存在する検査項目の検査データを検査データ表示欄Ｒ４に表示する際、表示制御部１３は、図７に示すように表示期間Ａの前後の表示期間である表示期間Ｂ１または表示期間Ｂ２内に、表示期間Ａ内に存在する検査項目と同じ検査項目の検査データが存在する場合には、表示期間Ａ内の検査データと表示期間Ｂ１または表示期間Ｂ２内の同一の検査項目の検査データとを結線して表示する（Ｓ４０）。
【００７２】
そして、その後、表示期間の変更があった場合には、上記第１の実施形態と同様に、予め取得されて診療情報記憶部１２に記憶された検査データを用いて変更後の表示期間の検査データを検査データ表示欄Ｒ４に表示するが、この際も、表示制御部１３は、変更後の表示期間の前後の表示期間内に、変更後の表示期間内に存在する検査項目と同じ検査項目の検査データが存在する場合には、変更後の表示期間内の検査データと前後の表示期間内の同一の検査項目の検査データとを結線して表示する（Ｓ４４）。
【００７３】
具体的には、表示制御部１３は、変更後の表示期間が表示期間Ｂ１である場合には、図７に示すように表示期間Ｂ１の前後の表示期間である表示期間Ｃ１または表示期間Ａ内に、表示期間Ｂ１内に存在する検査項目と同じ検査項目の検査データが存在する場合には、表示期間Ｂ１内の検査データと表示期間Ｃ１または表示期間Ａ内の同一の検査項目の検査データとを結線して表示する。また、変更後の表示期間が表示期間Ｂ２である場合には、図７に示すように表示期間Ｂ２の前後の表示期間である表示期間Ｃ２または表示期間Ａ内に、表示期間Ｂ２内に存在する検査項目と同じ検査項目の検査データが存在する場合には、表示期間Ｂ２内の検査データと表示期間Ｃ２または表示期間Ａ内の同一の検査項目の検査データとを結線して表示する。
【００７４】
なお、Ｓ４６〜Ｓ４８については、図３に示すフローチャートのＳ２６〜Ｓ４８と同様であるので説明を省略する。
【００７５】
上記第２の実施形態の診療情報表示システム１によれば、現在表示されている表示期間内の検査項目と同一の検査項目が前後の表示時間に存在する場合には、現在表示されている表示期間内の検査項目の検査データと前後の表示時間内の同一の検査項目の検査データとを結線して表示するようにしたので、現在表示されていない前後の表示期間にも同一の検査項目の検査データが存在することを結線表示によってユーザに知らせることができる。
【００７６】
ここで、上記第１および第２の実施形態のように、表示期間の変更を行った際、その変更後の表示期間内の検査データの数値範囲が、変更前の表示期間内の検査データの数値範囲と大きく異なっている場合には、表示期間の変更直後には画面上に何も表示されない場合が生じ得る。そして、このような場合、変更後の表示期間の検査データを画面内に表示させるために、たとえばスクロールなどして数値を示す軸の数値範囲を変更して検査データを探す必要があり、検査データの参照に時間がかかり、やはり診療効率の低下を招くおそれがある。
【００７７】
次に、上述したような問題を解決するための、本発明の第３の実施形態の医療情報表示システム１について説明する。
【００７８】
第３の実施形態の医療情報表示システム１は、上述した第１の実施形態や第２の実施形態のように、表示期間を変更して検査データを表示する際、変更後の表示期間の表示領域（検査データ表示欄Ｒ４）から検査データがはみ出してしまわないように、表示領域内における検査データのグラフの縦軸方向の表示倍率を変更するようにしたものである。それ以外の構成および作用は、上記第１の実施形態および第２の実施形態と同様であるので、異なる点を中心に、図８に示すフローチャートと図９および図１０を参照しながら説明する。
【００７９】
図８に示すフローチャートにおけるＳ５０〜Ｓ５８までの処理は、図３に示すフローチャートにおけるＳ１０〜Ｓ１８までの処理と同様である。なお、ここでは、医師によって指定された患者について、図９の表に示すような２つの検査項目「ＡＡＡ」および「ＢＢＢ」の検査データが検査データ保管サーバ４１に保管されているとする。そして、初期表示期間として１／４〜１／６の期間が指定されたものとする。
【００８０】
そして、第３の実施形態においては、初期表示期間内の検査データと初期表示期間の前後の表示期間にある検査データを取得した後、初期表示期間内の検査項目と、その前後の表示期間内の検査項目を特定し、その特定した検査項目の検査データの最大値と最小値を取得する。具体的、図９の表に示す例では、初期表示期間（１／４〜１／６）とその前後の表示期間とで検査項目はともに「ＡＡＡ」と「ＢＢＢ」であるので、これらの検査項目が特定され、これらの検査項目の最大値と最小値が取得されることになる。なお、初期表示期間とその前後の表示期間とで検査項目が異なる場合には、その全てを足し合わせた検査項目が特定され、その特定した全ての検査項目の最大値と最小値とが取得されることになる。
【００８１】
なお、このとき取得される最大値および最小値は、初期表示期間とその前後の表示期間内の検査データだけでなく、検査データ保管サーバ４１に保管されている検査データも含めた検査データのうちの最大値および最小値が取得される。ここでは、図９の表に示すように、検査項目「ＡＡＡ」の最大値として１００、最小値として０が取得され、検査項目「ＢＢＢ」の最大値として５５０、最小値として５０が取得されるものとする。
【００８２】
そして、各検査項目「ＡＡＡ」および「ＢＢＢ」についてそれぞれ取得された最大値および最小値は、表示制御部１３に出力される。
【００８３】
表示制御部１３は、入力された各検査項目の最大値および最小値に基づいて、これらの値の全てがグラフの表示領域（検査データ表示欄Ｒ４）内に表示されるような縦軸方向の表示倍率を算出する（Ｓ６０）。すなわち、各検査項目の最大値および最小値の範囲が、図９の表に示すような範囲である場合には、検査項目「ＡＡＡ」の最大値１００と最小値０とがグラフの表示領域内に表示されるような検査項目「ＡＡＡ」の縦軸方向の表示倍率と、検査項目「ＢＢＢ」の最大値５５０と最小値５０とがグラフの表示領域内に表示されるような検査項目「ＢＢＢ」の縦軸方向の表示倍率とそれぞれ算出され、表示制御部１３は、その表示倍率に基づいて、検査項目「ＡＡＡ」の縦軸と検査項目「ＢＢＢ」の縦軸とを圧縮する。なお、ここでいう表示倍率とは、グラフの表示領域の縦軸の長さに対して割り当てられる検査データ値の範囲によって決定されるものであり、たとえば検査データの数値範囲が０〜５０の場合、数値範囲が０〜１００の場合よりも表示倍率は２倍となる。
【００８４】
そして、表示制御部１３は、Ｓ５６で取得した初期表示期間Ａ内の検査項目の検査データのみを検査データ表示欄Ｒ４内に表示するが、このときの各検査項目の検査データのグラフは、上記表示倍率に基づいて圧縮されたものとなる（Ｓ６２）。すなわち、図１０に示すように、検査項目「ＡＡＡ」については、最大値１００と最小値０とが太枠で示す表示領域内に収まるように検査データのグラフが圧縮され、検査項目「ＢＢＢ」については、最大値５５０と最小値５０とが太枠で示す表示領域内に収まるように検査データのグラフが圧縮されて表示される。なお、図１１は、上述したように各検査項目の最大値および最小値を考慮せずに、初期表示期間内の検査データのみが表示領域内に収まるように縦軸を設定した例である。この場合、表示期間を変更した場合、表示領域内に表示されない検査データが存在することになる。
【００８５】
これに対し、上述したように各検査項目の検査データの最大値と最小値とに基づいて縦軸を圧縮するようにした場合には、表示期間が変更されたとしても、その変更後の表示期間の検査データがグラフの表示領域からはみ出すのを防止することができる。なお、初期表示期間Ａ内の検査データを表示する際、その前後の表示期間内の検査データとの結線については、図１０では結線しないようにしているが、第２の実施形態のように結線するようにしてもよい。
【００８６】
次いで、ユーザによって初期表示期間がその前後の表示期間に変更された場合には、上記第１および第２の実施形態と同様に、診療情報取得部１１は、その変更後の表示期間の前または後の表示期間内に存在する検査項目を特定し、その特定した検査項目の上記前または後の表示期間内の検査データを取得する（Ｓ６６）。
【００８７】
そして、このとき、表示制御部１３は、変更後の表示期間内の検査項目と、その変更後の表示期間の前後の表示期間内の検査項目とを特定し、その特定した検査項目の検査データの最大値と最小値を取得する。
【００８８】
このように表示期間を変更しても、その変更後の表示期間とその前後の表示期間の検査項目の数が、変更前と変わらない場合には（Ｓ６８，ＮＯ）、表示制御部１３は、表示領域の縦軸を変更することなく、予め取得されて診療情報記憶部１２に記憶されていた変更後の表示期間の検査データを表示領域内に表示させる（Ｓ７４）。
【００８９】
一方、表示期間を変更した場合、その変更後の表示期間と前後の表示期間に存在する検査項目の数が、変更前から増減する場合には（Ｓ６８，ＹＥＳ）、再び変更後の表示期間とその前後の表示期間に含まれる検査項目が特定され、その全て検査項目についてそれぞれ最大値と最小値とが取得される。そして、各検査項目についてそれぞれ取得された最大値および最小値は、表示制御部１３に出力される。
【００９０】
表示制御部１３は、入力された各検査項目の最大値および最小値に基づいて、これらの値の全てがグラフの表示領域（検査データ表示欄Ｒ４）内に表示されるような縦軸方向の表示倍率を算出する（Ｓ７０）。
【００９１】
そして、表示制御部１３は、上記のようにして算出した表示倍率に基づいて、グラフの表示領域の縦軸を圧縮するとともに、その表示領域内に予め取得されて診療情報記憶部１２に記憶されている検査データを表示させる（Ｓ７２）。
【００９２】
そして、検査データの終了の指示が入力されるまでは（Ｓ７６,ＹＥＳ）、Ｓ６４〜Ｓ７４までの処理が繰り返して行われる。
【００９３】
上記のように表示期間が変更された場合にも、その変更後の表示期間の前後の表示期間内に含まれる検査項目を特定し、その特定した検査項目の最大値および最小値から算出された表示倍率に基づいて表示領域の縦軸を圧縮するようにした場合には、表示期間の変更後に検査項目が増減したとしても、常に、検査データが表示領域からはみ出さないようにできる。
【００９４】
次に、本発明の第４の実施形態を用いた医療情報表示システム１について説明する。上記第３の実施形態の医療情報表示システム１は、表示期間が変更されたとしても、常に検査データがグラフの表示領域からはみ出さないように縦軸を圧縮するようにしたが、第４の実施形態の医療情報表示システム１は、上述したように縦軸の圧縮を行うのではなく、変更後の表示期間内の検査データに合わせて、その検査データの最大座標と最小座標とを随時取得し、その最大座標と最小座標に応じて自動的に表示領域の縦軸を随時変更することによって、表示期間内の検査データがグラフの表示領域からはみ出さないようにしたものである。すなわち、変更後の表示期間内の検査データに合わせて縦軸の数値範囲を自動的にスクロールするようにしたものである。以下、図１２に示すフローチャートと図１３を参照しながら詳細に説明する。
【００９５】
図１０に示すフローチャートにおけるＳ８０〜Ｓ９０までの処理は、図３に示すフローチャートにおけるＳ１０〜Ｓ２０までの処理と同様である。なお、ここでは、再び、医師によって指定された患者について、図４に示すような３つの検査項目「ｘｘｘ」、「ｙｙｙ」、「ｚｚｚ」の検査データが検査データ保管サーバ４１に保管されているとする。図１３は、図４に示す３つの項目の検査データを全てプロットしたものである。
【００９６】
そして、第４の実施形態においては、初期表示期間の前後の表示期間の検査データを取得した後、その前後の表示期間の検査データについて、特定の単位表示期間内の検査データをグラフ表示した時の画面（表示領域）上の縦軸方向の最小座標と最大座標とを算出する（Ｓ９６）。なお、上記単位表示期間は、たとえば横軸の変更（移動）の最小単位とすることが望ましいが、これに限らず、この最小単位よりも長い期間であって、検査データが予め取得される上記前後の表示期間以下の期間であれば如何なる期間でもよい。
【００９７】
具体的には、初期表示期間が、図１１に示す表示期間Ａである場合には、表示期間Ｂ１内の検査データについて、単位表示期間内の検査データをグラフ表示した時の画面上の縦軸方向の最小座標と最大座標とが算出され、また、表示期間Ｂ２内の検査データについても、同様に、単位表示期間における縦軸方向の最小座標と最大座標とが算出される。
【００９８】
一方、初期表示期間内の検査データについても、特定の単位表示期間内の検査データをグラフ表示した時の画面上の縦軸方向の最小座標と最大座標とを算出する（Ｓ９２）。
【００９９】
そして、ユーザによって初期表示期間がその前後の表示期間に変更された場合には（Ｓ９４）、表示制御部１３は、予め取得された前後の表示期間内の検査データを検査データ表示欄Ｒ４に表示するが、このとき変更後の表示期間内の検査データについて算出された縦軸方向の最大座標と最小座標とが求められ、その最大座標と最小座標とが検査データ表示欄Ｒ４の表示領域内に入るようにグラフの表示範囲が自動的に縦軸方向に移動し、また、必要に応じて表示範囲の拡大または縮小が行われる（Ｓ９８）。
【０１００】
具体的には、図１３に示すように、初期表示期間Ａから表示期間Ｂ１に変更された場合には、検査データ表示欄Ｒ４の表示領域の縦軸が自動的にスクロールされ、図１３に示す表示期間Ｂ１の点線の範囲が、検査データ表示欄Ｒ４内に表示される。また、初期表示期間Ａから表示期間Ｂ２に変更された場合にも、検査データ表示欄Ｒ４の表示領域の縦軸が自動的にスクロールされ、図１３に示す表示期間Ｂ２の点線の範囲が、検査データ表示欄Ｒ４内に表示される。
【０１０１】
なお、図１３では、表示期間Ａを表示期間Ｂ１または表示期間Ｂ２まで変更した例を示しているが、表示期間の変更単位はこれに限らず、上述した横軸の変更の最小単位で順次変更することができる。そして、図１４に示すように、その最小単位で変更される度に、その変更後の表示期間Ｂ３または表示期間Ｂ４内の検査データについて算出された縦軸方向の最大座標と最小座標とが求められ、その最大座標と最小座標とが検査データ表示欄Ｒ４の表示領域内に入るようにグラフの表示範囲が縦軸方向に自動的に移動し、また、必要に応じて表示範囲の拡大または縮小が行われる。
【０１０２】
そして、検査データの表示終了の指示が行われない場合には（Ｓ１００，ＮＯ）、再び、変更後の表示期間の前または後の表示期間内の検査項目の検査データが取得され、その検査データが診療情報記憶部１２に記憶される。
【０１０３】
そして、再び、Ｓ９６と同様の処理が行われ、変更後の表示期間の前後の表示期間の検査データについて、特定の単位表示期間内の検査データをグラフ表示した時の画面上の縦軸方向の最小座標と最大座標とが算出される（Ｓ１０４）。
【０１０４】
そして、再び、ユーザによって表示期間の変更が行われた場合には（Ｓ９４）、Ｓ９８の処理が再び繰り返されることになる。
【０１０５】
検査データの終了の指示が入力されるまでは（Ｓ１００，ＹＥＳ）、Ｓ９４〜Ｓ１０４までの処理が繰り返して行われる。
【０１０６】
上記第４の実施形態の診療情報表示システム１によれば、表示期間の変更にともなって、その変更後の表示期間の検査データが存在する数値範囲が、検査データ表示欄Ｒ４の表示領域内となるように縦軸を自動的にスクロールするようにしたので、ユーザが、検査データが存在する範囲を探す必要がなく、即座に検査データを参照することができる。
【符号の説明】
【０１０７】
１     医療情報表示システム
１０   診療情報表示制御装置
１１   診療情報取得部
１２   診療情報記憶部
１３   表示制御部
１４   表示期間指定受付部
２０   診療科端末
３０   電子カルテシステム
３１   電子カルテ保管サーバ
４０   検査部門システム
４１   検査データ保管サーバ
５０   画像診断システム
５１   画像管理サーバ
５２   読影レポートサーバ
【図１】
2014194711.tif 000003
【図３】
2014194711.tif 000004
【図４】
2014194711.tif 000005
【図５】
2014194711.tif 000006
【図６】
2014194711.tif 000007
【図７】
2014194711.tif 000008
【図８】
2014194711.tif 000009
【図９】
2014194711.tif 000010
【図１０】
2014194711.tif 000011
【図１１】
2014194711.tif 000012
【図１２】
2014194711.tif 000013
【図１３】
2014194711.tif 000014
【図１４】
2014194711.tif 000015
【図２】
2014194711.tif 000016